(57)【特許請求の範囲】
【請求項１】
第１デジタルオーディオデータと、前記第１デジタルオーディオデータとデータ形式が異なる、第２デジタルオーディオデータと、を含むデジタルオーディオデータをＤ／Ａ変換装置に出力し、
前記Ｄ／Ａ変換装置への前記デジタルオーディオデータの出力の停止指示を受け付け、
前記Ｄ／Ａ変換装置を制御する、制御部を備え、
前記制御部は、前記第２デジタルオーディオデータを前記Ｄ／Ａ変換装置に出力しているときに、前記停止指示を受け付けた場合、無音を表す前記第２デジタルオーディオデータのミュートデータを前記Ｄ／Ａ変換装置に出力し、
前記Ｄ／Ａ変換装置への前記ミュートデータの出力を開始した後、所定時間経過後に、前記Ｄ／Ａ変換装置を停止させることを特徴とする音楽再生装置。
【請求項２】
前記制御部は、前記第１デジタルオーディオデータを前記Ｄ／Ａ変換装置に出力しているときに、前記停止指示を受け付けた場合、前記Ｄ／Ａ変換装置を停止させることを特徴とする請求項１に記載の音楽再生装置。
【請求項３】
表示部をさらに備え、
前記制御部は、前記表示部の表示をさらに制御し、
前記停止指示を受け付けた場合、前記Ｄ／Ａ変換装置への前記デジタルオーディオデータの出力が停止状態であることを前記表示部に表示させることを特徴とする請求項１又は２に記載の音楽再生装置。
【請求項４】
前記制御部は、前記第１デジタルオーディオデータのフレームに、前記第２デジタルオーディオデータであることを示す情報を含むマーカーと、前記第２デジタルオーディオデータと、を格納して前記Ｄ／Ａ変換装置に出力することを特徴とする請求項１〜３のいずれか１項に記載の音楽再生装置。
【請求項５】
前記第１デジタルオーディオデータは、ＰＣＭデータであり、
前記第２デジタルオーディオデータは、ＤＳＤデータであることを特徴とする請求項１〜４のいずれか１項に記載の音楽再生装置。
【請求項６】
コンピュータの制御部に、
第１デジタルオーディオデータと、前記第１デジタルオーディオデータとデータ形式が異なる、第２デジタルオーディオデータと、を含むデジタルオーディオデータのＤ／Ａ変換装置への出力、
前記Ｄ／Ａ変換装置への前記デジタルオーディオデータの出力の停止指示の受け付け、
前記Ｄ／Ａ変換装置の制御、を実行させる音楽再生プログラムであって、
前記制御部に、前記第２デジタルオーディオデータを前記Ｄ／Ａ変換装置に出力させているときに、前記停止指示を受け付けさせた場合、無音を表す前記第２デジタルオーディオデータのミュートデータを前記Ｄ／Ａ変換装置に出力させ、
前記Ｄ／Ａ変換装置への前記ミュートデータの出力を開始させた後、所定時間経過後に、前記Ｄ／Ａ変換装置を停止させることを特徴とする音楽再生プログラム。
【発明の詳細な説明】
【技術分野】
【０００１】
本発明は、音楽再生装置、及び、音楽再生プログラムに関する。
【背景技術】
【０００２】
スマートフォンやタブレットＰＣ等を音楽再生装置として機能させる音楽再生プログラムがある。音楽再生プログラムは、スマートフォンのスピーカーから音楽を再生させる他、スマートフォンから外部のＵＳＢ  ＤＡＣ（Ｄ／Ａ変換装置）にデジタルオーディオデータを出力させる。デジタルオーディオデータとしては、従来、サンプリング周波数４４．１ｋＨｚ、量子ビット数１６ビットのＰＣＭ（Pulse Code Modulation）方式によって符号化されたＰＣＭデータ（第１デジタルオーディオデータ）が主流であった。近年、デジタルオーディオデータとして、サンプリング周波数２．８２２４ＭＨｚ（＝４４．１ｋＨｚ×６４）、１ビットのＤＳＤ（Direct Stream Digital）方式によって符号化されたＤＳＤデータ（第２デジタルオーディオデータ）が登場した。
【０００３】
音楽再生プログラムは、スマートフォンからＵＳＢ  ＤＡＣにＤＳＤデータを出力させる場合に、ＰＣＭデータのフレームを用いて、スマートフォンからＵＳＢ経由でＵＳＢ  ＤＡＣにＤＳＤデータを出力する場合がある（例えば、非特許文献１参照）。この方式は、ＤｏＰ（DSD Audio over PCM Frames）と呼ばれている。例えば、ＵＳＢオーディオクラスは、ＰＣＭデータに対応しているが、ＤＳＤデータに対応していない。このため、スマートフォンとＵＳＢ  ＤＡＣとがＵＳＢオーディオクラスに対応した通信を行う場合は、ＤｏＰにより、スマートフォンからＵＳＢ  ＤＡＣにＤＳＤデータが出力される。
【０００４】
図６は、ＰＣＭデータのフレームに格納されたＤＳＤデータを示す図である。ＰＣＭデータのフレームは、２４ビットで構成されている。この２４ビットのうち、１６ビットに、ＤＳＤデータが格納される。また、２４ビットのうち、８ビットに、ＤＳＤデータであることを示す情報を含むマーカーが格納される。ＵＳＢ  ＤＡＣは、マーカーにより、出力されてくるデジタルオーディオデータが、ＤＳＤデータであることを判断することができる。
【０００５】
図７は、ＤｏＰ出力の概念を示す図である。スマートフォンは、ＵＳＢ  ＤＡＣの、ＬチャンネルのＰＣＭデータ用チャンネルと、ＲチャンネルのＰＣＭデータ用チャンネルと、にＤＳＤデータをＤｏＰ出力する。ＤｏＰ出力においては、ＤＳＤデータをＰＣＭデータに見せかけてスマートフォンからＵＳＢ  ＤＡＣに出力する。このため、ＰＣＭデータの出力とＤＳＤデータの出力（ＤｏＰ出力）との切り替わりで、ＵＳＢ  ＤＡＣからノイズが発生する。このノイズを低減するため、音楽再生プログラムは、可能な限り、ＰＣＭデータの出力とＤＳＤデータの出力（ＤｏＰ出力）との切り替わりが行われないように設計されている。
【先行技術文献】
【特許文献】
【０００６】
【非特許文献１】ファイル・ウェブ編集部、“「DSD配信には明るい未来が待っている」 − DoPを開発、Playback DesignsのKoch氏に聞く”、[online]、2012年6月26日、Phile-web、[2014年9月4日検索]、インターネット〈URL：http://www.phileweb.com/interview/article/201206/26/146.html〉
【発明の概要】
【発明が解決しようとする課題】
【０００７】
従来の音楽再生プログラムでは、スマートフォンからＵＳＢ  ＤＡＣへのＤＳＤデータの出力（ＤｏＰ出力）が行われているときに、ユーザーからの出力停止（例えば、一時停止（いわゆるポーズ））の指示を受け付けると、ＵＳＢ  ＤＡＣを停止させる（ポーズ処理）。このとき、図８に示すように、デバイスドライバーが自動的にＰＣＭデータを挿入してしまうことがある。このため、ＤＳＤデータの出力（ＤｏＰ出力）からＰＣＭデータの出力に切り替わって、ＵＳＢ  ＤＡＣからノイズが発生するという問題がある。
【０００８】
本発明の目的は、第１デジタルオーディオデータと、第１デジタルオーディオデータとデータ形式が異なる第２デジタルオーディオデータと、をＤ／Ａ変換装置に出力する音楽再生装置において、第２デジタルオーディオデータをＤ／Ａ変換装置に出力しているときに、デジタルオーディオデータの停止指示を受け付けた場合に、Ｄ／Ａ変換装置からノイズが発生することを防止することである。
【課題を解決するための手段】
【０００９】
第１の発明の音楽再生装置は、第１デジタルオーディオデータと、前記第１デジタルオーディオデータとデータ形式が異なる、第２デジタルオーディオデータと、を含むデジタルオーディオデータをＤ／Ａ変換装置に出力し、前記Ｄ／Ａ変換装置への前記デジタルオーディオデータの出力の停止指示を受け付け、前記Ｄ／Ａ変換装置を制御する、制御部を備え、前記制御部は、前記第２デジタルオーディオデータを前記Ｄ／Ａ変換装置に出力しているときに、前記停止指示を受け付けた場合、無音を表す前記第２デジタルオーディオデータのミュートデータを前記Ｄ／Ａ変換装置に出力し、前記Ｄ／Ａ変換装置への前記ミュートデータの出力を開始した後、所定時間経過後に、前記Ｄ／Ａ変換装置を停止させることを特徴とする。
【００１０】
本発明では、制御部は、第２デジタルオーディオデータをＤ／Ａ変換装置に出力しているときに、停止指示を受け付けた場合、無音を表す第２デジタルオーディオデータのミュートデータをＤ／Ａ変換装置に出力する。従って、Ｄ／Ａ変換装置からは、ミュートデータに従って、無音が出力されるため、第２デジタルオーディオデータをＤ／Ａ変換装置に出力しているときに、デジタルオーディオデータの停止指示を受け付けた場合に、Ｄ／Ａ変換装置からノイズが発生することが防止される。なお、「停止」には、通常の停止（いわゆるストップ）、一時停止（いわゆるポーズ）が含まれる。
【００１２】
Ｄ／Ａ変換装置は、ミュートデータが出力されている間は、ミュートデータをＤ／Ａ変換するために、電力を消費する。本発明では、制御部は、Ｄ／Ａ変換装置へのミュートデータの出力を開始した後、所定時間経過後に、Ｄ／Ａ変換装置を停止させる。これにより、Ｄ／Ａ変換装置が停止するため、Ｄ／Ａ変換装置の電力消費を抑えることができる。
【００１３】
第２の発明の音楽再生装置は、第１の発明の音楽再生装置において、前記制御部は、前記第１デジタルオーディオデータを前記Ｄ／Ａ変換装置に出力しているときに、前記停止指示を受け付けた場合、前記Ｄ／Ａ変換装置を停止させる。
【００１４】
第１デジタルオーディオデータをＤ／Ａ変換装置に出力しているときに、停止指示を受け付け、Ｄ／Ａ変換装置を停止しても、Ｄ／Ａ変換装置からノイズが発生することがない。このため、本発明では、制御部は、第１デジタルオーディオデータをＤ／Ａ変換装置に出力しているときに、停止指示を受け付けた場合、Ｄ／Ａ変換装置を停止させる。
【００１５】
第３の発明の音楽再生装置は、第１又は第２の発明の音楽再生装置において、表示部をさらに備え、前記制御部は、前記表示部の表示をさらに制御し、前記停止指示を受け付けた場合、前記Ｄ／Ａ変換装置への前記デジタルオーディオデータの出力が停止状態であることを前記表示部に表示させる。
【００１６】
本発明では、制御部は、停止指示を受け付けた場合、Ｄ／Ａ変換装置へのデジタルオーディオデータの出力が停止状態であることを表示部に表示させる。これにより、ユーザーは、Ｄ／Ａ変換装置へのデジタルオーディオデータの出力が停止していることがわかる。
【００１７】
第４の発明の音楽再生装置は、第１〜第３のいずれかの発明の音楽再生装置において、前記制御部は、前記第１デジタルオーディオデータのフレームに、前記第２デジタルオーディオデータであることを示す情報を含むマーカーと、前記第２デジタルオーディオデータと、を格納して前記Ｄ／Ａ変換装置に出力することを特徴とする。
【００１８】
本発明では、制御部は、第１デジタルオーディオデータのフレームに、第２デジタルオーディオデータであることを示す情報を含むマーカーと、第２デジタルオーディオデータと、を格納してＤ／Ａ変換装置に出力する。これにより、第１デジタルオーディオデータには対応しているが、第２デジタルオーディオデータには対応していない音楽再生装置とＤ／Ａ変換装置との通信において、音楽再生装置からＤ／Ａ変換装置に第２デジタルオーディオデータを出力することができる。
【００１９】
第５の発明の音楽再生装置は、第１〜第４のいずれかの発明の音楽再生装置において、前記第１デジタルオーディオデータは、ＰＣＭデータであり、前記第２デジタルオーディオデータは、ＤＳＤデータであることを特徴とする。
【００２０】
本発明では、制御部は、ＤＳＤデータをＤ／Ａ変換装置に出力しているときに、停止指示を受け付けた場合、無音を表すＤＳＤデータのミュートデータをＤ／Ａ変換装置に出力する。従って、Ｄ／Ａ変換装置からは、ミュートデータに従って、無音が出力されるため、ＤＳＤデータをＤ／Ａ変換装置に出力しているときに、デジタルオーディオデータの停止指示を受け付けた場合に、Ｄ／Ａ変換装置からノイズが発生することが防止される。
【００２１】
第６の発明の音楽再生プログラムは、コンピュータの制御部に、第１デジタルオーディオデータと、前記第１デジタルオーディオデータとデータ形式が異なる、第２デジタルオーディオデータと、を含むデジタルオーディオデータのＤ／Ａ変換装置への出力、前記Ｄ／Ａ変換装置への前記デジタルオーディオデータの出力の停止指示の受け付け、前記Ｄ／Ａ変換装置の制御、を実行させる音楽再生プログラムであって、前記制御部に、前記第２デジタルオーディオデータを前記Ｄ／Ａ変換装置に出力させているときに、前記停止指示を受け付けさせた場合、無音を表す前記第２デジタルオーディオデータのミュートデータを前記Ｄ／Ａ変換装置に出力させ、前記Ｄ／Ａ変換装置への前記ミュートデータの出力を開始させた後、所定時間経過後に、前記Ｄ／Ａ変換装置を停止させることを特徴とする。
【発明の効果】
【００２２】
本発明によれば、第１デジタルオーディオデータと、第１デジタルオーディオデータとデータ形式が異なる第２デジタルオーディオデータと、をＤ／Ａ変換装置に出力する音楽再生装置において、第２デジタルオーディオデータをＤ／Ａ変換装置に出力しているときに、デジタルオーディオデータの停止指示を受け付けた場合に、Ｄ／Ａ変換装置からノイズが発生することを防止することができる。
【図面の簡単な説明】
【００２３】
【図１】本発明の実施形態に係るスマートフォン等の構成を示すブロック図である。
【図２】デジタルオーディオデータの情報の表示例である。
【図３】プレイヤー画面の一例である。
【図４】ＵＳＢ  ＤＡＣからデジタルオーディオデータの要求を受け取った場合のスマートフォンの処理動作を示すフローチャートである。
【図５】ＵＳＢ  ＤＡＣへのデジタルオーディオデータの一時停止の指示を受け付けた場合のスマートフォンの処理動作を示すフローチャートである。
【図６】ＰＣＭデータのフレームに格納されたＤＳＤデータを示す図である。
【図７】ＤｏＰ出力の概念を示す図である。
【図８】ＤＳＤデータの出力（ＤｏＰ出力）からＰＣＭデータの出力に切り替わる例を示す図である。
【発明を実施するための形態】
【００２４】
以下、本発明の実施形態について説明する。図１は、本発明の実施形態に係るスマートフォン等の構成を示すブロック図である。スマートフォン１は、ＵＳＢ  ＤＡＣ２（Ｄ／Ａ変換装置）に接続されている。スマートフォン１は、記憶部１２に記憶されている音楽再生プログラムＰが実行されることにより、デジタルオーディオデータをＵＳＢ  ＤＡＣ２に出力する音楽再生装置として機能する。ＵＳＢ  ＤＡＣ２は、スマートフォン１から出力されたデジタルオーディオデータをアナログオーディオデータにＤ／Ａ変換する。そして、ＵＳＢ  ＤＡＣ２は、Ｄ／Ａ変換したアナログオーディオデータを増幅し、ヘッドホン３に出力する。ヘッドホン３は、ＵＳＢ  ＤＡＣ２から出力されたアナログオーディオデータに基づいて、音楽を含む音声を外部に出力する。
【００２５】
（スマートフォン１）
スマートフォン１は、制御部１１、記憶部１２、表示部１３、操作部１４、スピーカー１５、ネットワーク通信部（以下、「ＮＷ通信部」という。）１６、ブルートゥース（登録商標）通信部（以下、「ＢＴ通信部」という。）１７、コネクタ１８等を備えている。スマートフォン１は、例えば、ＯＳ（Operating System）プログラムとして、ｉＯＳを搭載したアップル社製のｉＰｈｏｎｅ（登録商標）である。
【００２６】
制御部１１は、制御プログラム、ＯＳプログラム、音楽再生プログラムＰを含むアプリケーションプログラムに従って、スマートフォン１を構成する各部を制御する。また、制御部１１は、音楽再生プログラムＰに従って、デジタルオーディオデータをＵＳＢ  ＤＡＣ２に出力する。制御部１１が音楽再生プログラムＰに従って実行する処理については、後述する。
【００２７】
記憶部１２は、制御部１１の主メモリとして機能するＲＡＭ（Random Access Memory）、制御プログラムを記憶するＲＯＭ（Read Only Memory）、ＯＳプログラムや音楽再生プログラムＰを含むアプリケーションプログラム等のプログラム、デジタルオーディオデータ等の各種データを記憶するフラッシュメモリから構成されている。なお、記憶部１２は、例示する構成に限られず、ＨＤＤ（Hard Disk Drive）等を含んでいてもよい。また、音楽再生プログラムＰは、工場出荷時に記憶部１２に記憶されていてもよいし、後述するＮＷ通信部１６を介して、図示しないサーバーからダウンロードされ、記憶部１２に記憶されていてもよい。
【００２８】
表示部１３は、種々の画像（静止画像、動画像を含む）を表示するものであり、液晶パネルにより構成されている。操作部１４は、各種設定を行うための操作キー、及び、表示部１３と連動したタッチパネルを備えている。ユーザーは、操作部１４を介して、電話番号やメールアドレス等の各種の文字入力、通信設定などを行うことが可能である。スピーカー１５は、制御部１１から出力されるオーディオデータに基づいて、音楽等の種々の音声を出力する。ＮＷ通信部１６は、図示しない携帯電話網および携帯基地局を介してインターネットに接続可能なように構成されている。スマートフォン１は、ＮＷ通信部１６を介して、他の端末との通話、通信等を行うことが可能である。ＢＴ通信部１７は、ブルートゥース規格に基づいて、ブルートゥース規格に対応した図示しない周辺装置と無線通信を行う。
【００２９】
コネクタ１８は、スマートフォン１を外部の機器と接続するためのものである。コネクタ１８は、メス型の接続コネクタであり、例えば、アップル社製のＬｉｇｈｔｎｉｎｇコネクタと呼ばれる８ピンのコネクタである。本実施形態では、スマートフォン１とＵＳＢ  ＤＡＣ２とは、コネクタ１８を介して、変換装置４により接続される。
【００３０】
（変換装置４）
変換装置４は、コネクタ４１、４２、ＵＳＢホストコントローラ４３を備えている。コネクタ４１は、スマートフォン１のコネクタ１８に対応したオス型の接続コネクタである。スマートフォン１のコネクタ１８と変換装置４のコネクタ４１とが接続されることにより、スマートフォン１と変換装置４とが接続される。コネクタ４２は、ＵＳＢのＡタイプの、メス型の接続コネクタである。ＵＳＢホストコントローラ４３は、ＵＳＢ規格に対応した通信をＵＳＢデバイス（本実施形態では、ＵＳＢ  ＤＡＣ２）と行うためのコントローラである。スマートフォン１は、変換装置４が接続されることにより、ＵＳＢホストとして機能する。
【００３１】
（ＵＳＢ  ＤＡＣ２）
ＵＳＢ  ＤＡＣ２は、制御部２１、記憶部２２、表示部２３、操作部２４、Ｄ／Ａコンバータ２５、増幅部２６、コネクタ２７、ＵＳＢデバイスコントローラ２８、ヘッドホン端子２９等を備えている。制御部２１は、制御プログラムに従って、ＵＳＢ  ＤＡＣ２を構成する各部を制御する。
【００３２】
記憶部２２は、制御部２１の主メモリとして機能するＲＡＭ、制御プログラムを記憶するＲＯＭから構成されている。なお、記憶部２２は、例示する構成に限られず、フラッシュメモリ等を備えていてもよい。表示部２３は、設定画面等を表示するものであり、ＬＣＤ（液晶ディスプレイ）やＬＥＤランプ等である。操作部２４は、ユーザー操作を受け付けるためのものであり、ＵＳＢ  ＤＡＣ２の筐体に設けられた操作ボタン等である。Ｄ／Ａコンバータ２５は、スマートフォン１から出力されるデジタルオーディオデータをアナログオーディオデータにＤ／Ａ変換するものである。Ｄ／Ａコンバータ２５は、ＰＣＭデータ、ＤＳＤデータをＤ／Ａ変換することが可能である。増幅部２６は、Ｄ／Ａコンバータ２５がＤ／Ａ変換したアナログオーディオデータを増幅し、ヘッドホン端子２９に出力する。
【００３３】
コネクタ２８は、ＵＳＢのマイクロＢタイプの、メス型の接続コネクタである。変換装置４のコネクタ４２とＵＳＢ  ＤＡＣ２のコネクタ２７とがＵＳＢケーブル５で接続されることにより、変換装置４とＵＳＢ  ＤＡＣ２とが接続される。ＵＳＢデバイスコントローラ２８は、ＵＳＢ規格に対応した通信をＵＳＢホスト（本実施形態では、スマートフォン１）と行うためのコントローラである。ＵＳＢデバイスコントローラ２８により、ＵＳＢ  ＤＡＣ２は、ＵＳＢデバイスとして機能する。本実施形態では、スマートフォン１とＵＳＢ  ＤＡＣ２とは、ＵＳＢオーディオクラスに対応した通信を行う。ヘッドホン端子２９には、ヘッドホン３が接続され、ヘッドホン３から、アナログオーディオデータに基づいた、音楽等の音声が出力される。
【００３４】
スマートフォン１からＵＳＢ  ＤＡＣ２へは、音楽再生プログラムＰが起動され、ユーザーの操作部１４の操作により選択されたデジタルオーディオデータが出力される。以下、制御部１１が音楽再生プログラムＰに従って実行する処理について説明する。制御部１１は、表示部１３の表示を制御する（表示制御処理）。また、制御部１１は、スマートフォン１に対する指示を受け付ける（受付処理）。具体的には、制御部１１は、ＵＳＢ  ＤＡＣ２に出力するデジタルオーディオデータの選択を受け付ける。例えば、制御部１１は、図２に示すように、表示部１３に記憶部１２に記憶されているデジタルオーディオデータの情報を表示する。制御部１１は、ユーザーにより、表示部１３に表示されたデジタルオーディオデータの情報がタッチされると、操作部１４のタッチパネルにより、タッチされたデジタルオーディオデータの選択を受け付ける。デジタルオーディオデータは、ＰＣＭデータ（第１デジタルオーディオデータ）と、ＰＣＭデータとデータ形式が異なるＤＳＤデータ（第２デジタルオーディオデータ）と、を含んでいる。このため、制御部１１は、ＵＳＢ  ＤＡＣ２へのＰＣＭデータの出力、又は、ＵＳＢ  ＤＡＣ２へのＤＳＤデータのＤｏＰ出力の選択を受け付けることとなる。
【００３５】
また、制御部１１は、ＰＣＭデータと、ＤＳＤデータと、を含むデジタルオーディオデータをＵＳＢ  ＤＡＣ２に出力する（再生処理）。制御部１１は、選択を受け付けたデジタルオーディオデータをＵＳＢ  ＤＡＣ２に出力する。制御部１１は、選択を受け付けたデジタルオーディオデータをＵＳＢ  ＤＡＣ２に出力した後は、例えば、そのデジタルオーディオデータが含まれるアルバムのリストに従って、デジタルオーディオデータをＵＳＢ  ＤＡＣ２に出力する。
【００３６】
制御部１１は、ＵＳＢ  ＤＡＣ２に出力するデジタルオーディオデータがＤＳＤデータである場合、ＤＳＤデータをＵＳＢ  ＤＡＣ２にＤｏＰ出力する。制御部１１は、図６に示すように、ＰＣＭデータのフレームに、ＤＳＤデータであることを示す情報を含むマーカーと、ＤＳＤデータと、を格納してＵＳＢ  ＤＡＣ２に出力する。制御部１１は、ＵＳＢ  ＤＡＣ２に出力するデジタルオーディオデータがＰＣＭデータである場合、ＰＣＭデータをＵＳＢ  ＤＡＣ２に出力する。
【００３７】
制御部１１は、ＵＳＢ  ＤＡＣ２に出力するデジタルオーディオデータの選択を受け付けると、図３に示すように、表示部１３にプレイヤー画面を表示する。プレイヤー画面には、デジタルオーディオデータのＵＳＢ  ＤＡＣ２への出力の一時停止指示を受け付けるための一時停止ボタン、デジタルオーディオデータのＵＳＢ  ＤＡＣ２への出力の進行状態を示すスクロールバー等が含まれている。制御部１１は、デジタルオーディオデータがＵＳＢ  ＤＡＣ２に出力されている間（デジタルオーディオデータの再生中）、プレイヤー画面において、スクロールバーのスライダーを左から右に移動させて、デジタルオーディオデータがＵＳＢ  ＤＡＣ２に出力されていることを表示する。
【００３８】
制御部１１は、ユーザーにより表示部１３に表示された一時停止ボタンがタッチされると、操作部１４のタッチパネルにより、ＵＳＢ  ＤＡＣ２へのデジタルオーディオデータの出力の一時停止指示を受け付ける。ここで、制御部１１は、ＵＳＢ  ＤＡＣ２へデジタルオーディオデータを出力している「再生中」、ＵＳＢ  ＤＡＣ２へのデジタルオーディオデータの出力を一時停止している「一時停止中」を含むプレイヤーステータスを記憶部１２に記憶している。制御部１１は、ＵＳＢ  ＤＡＣ２へのデジタルオーディオデータの出力の一時停止指示を受け付けると、プレイヤーステータスを「再生中」から「一時停止中」に設定する。これと同時に、制御部１１は、スクロールバーのスライダーの移動を停止し、ＵＳＢ  ＤＡＣ２へのデジタルオーディオデータの出力が一時停止状態（デジタルオーディオデータの再生一時停止状態）であることを表示部１３に表示させる。
【００３９】
また、制御部１１は、ＤＳＤデータをＵＳＢ  ＤＡＣ２にＤｏＰ出力しているときに、一時停止指示を受け付けた場合、無音を表すＤＳＤデータのミュートデータをＵＳＢ  ＤＡＣ２に出力する。無音を表すＤＳＤデータのミュートデータは、「１００１０１１０」で構成されるデータである。また、制御部１１は、ＰＣＭデータをＵＳＢ  ＤＡＣ２に出力しているときに、一時停止指示を受け付けた場合、無音を表すＰＣＭデータのゼロデータをＵＳＢ  ＤＡＣ２に出力する。無音を表すＰＣＭデータのゼロデータは、「０」で構成されている。ここで、ゼロデータは、「０」のみで構成されているため、「ゼロデータ」と記載する。これに対し、ミュートデータは、「０」以外の値も含むため、「ミュートデータ」と記載する。
【００４０】
また、制御部１１は、ＵＳＢ  ＤＡＣ２を制御する（ＵＳＢ  ＤＡＣ制御処理）。具体的には、制御部１１は、ＵＳＢオーディオクラスに従ったコマンドをＵＳＢ  ＤＡＣ２に送信し、ＵＳＢ  ＤＡＣ２を制御する。例えば、制御部１１は、起動を指示するコマンドをＵＳＢ  ＤＡＣ２に送信し、ＵＳＢ  ＤＡＣ２を起動させる。また、例えば、制御部１１は、停止を指示するコマンドをＵＳＢ  ＤＡＣ２に送信し、ＵＳＢ  ＤＡＣ２を停止させる。
【００４１】
制御部１１は、ＵＳＢ  ＤＡＣ２へのミュートデータの出力を開始した後、所定時間経過後に、停止を指示するコマンドをＵＳＢ  ＤＡＣ２に送信し、ＵＳＢ  ＤＡＣ２を停止させる。ここで、制御部１１は、ＤＳＤデータをＵＳＢ  ＤＡＣ２にＤｏＰ出力しているときに、一時停止指示を受け付けた場合は、ＵＳＢ  ＤＡＣ２を停止させない。一方、制御部１１は、ＰＣＭデータをＵＳＢ  ＤＡＣ２に出力しているときに、一時停止指示を受け付けた場合は、停止を指示するコマンドをＵＳＢ  ＤＡＣ２に送信し、ＵＳＢ  ＤＡＣ２を停止させる。
【００４２】
以下、ＵＳＢ  ＤＡＣ２からデジタルオーディオデータの要求を受け取った場合のスマートフォン１の処理動作を、図４に示すフローチャートに基づいて説明する。制御部１１は、ＵＳＢ  ＤＡＣ２が停止状態であるか否かを判断する（Ｓ１）。制御部１１は、ＵＳＢ  ＤＡＣ２が停止状態であると判断している間は（Ｓ１：Ｙｅｓ）、Ｓ１の処理を繰り返し実行しながら、待機する。制御部１１は、ＵＳＢ  ＤＡＣ２が停止状態ではない、すなわち、起動状態であると判断した場合（Ｓ１：Ｎｏ）、記憶部１２の出力用のバッファに空きがあるか否かを判断する（Ｓ２）。制御部１１は、バッファに空きがないと判断している間は（Ｓ２：Ｎｏ）、Ｓ２の処理を繰り返し実行しながら、待機する。
【００４３】
制御部１１は、バッファに空きがあると判断した場合（Ｓ２：Ｙｅｓ）、プレイヤーステータスが一時停止中であるか否かを判断する（Ｓ３）。制御部１１は、プレイヤーステータスが一時停止中ではない、すなわち、再生中であると判断した場合（Ｓ３：Ｎｏ）、現在、ＵＳＢ  ＤＡＣ２に出力しているデジタルオーディオデータを記憶部１２から取得する（Ｓ４）。一方、制御部１１は、プレイヤーステータスが一時停止中であると判断した場合（Ｓ４：Ｙｅｓ）、最後に、すなわち、一時停止前にＵＳＢ  ＤＡＣ２に出力したデジタルオーディオデータの種類（ＤＳＤデータ（ＤｏＰ出力）、又は、ＰＣＭデータ）を取得する（Ｓ５）。
【００４４】
次に、制御部１１は、取得したデジタルオーディオデータの種類がＤＳＤデータであるか、すなわち、ＤＳＤデータをＤｏＰ出力していたか否かを判断する（Ｓ６）。制御部１１は、取得したデジタルオーディオデータの種類がＤＳＤデータである、すなわち、ＤＳＤデータをＤｏＰ出力していたと判断した場合（Ｓ６：Ｙｅｓ）、ＵＳＢ  ＤＡＣ２に出力するデジタルオーディオデータとして、ミュートデータを設定する（Ｓ７）。一方、制御部１１は、取得したデジタルオーディオデータの種類がＤＳＤデータでない（ＰＣＭデータである）、すなわち、ＤＳＤデータをＤｏＰ出力していなかった（ＰＣＭデータを出力していた）と判断した場合（Ｓ６：Ｎｏ）、ＵＳＢ  ＤＡＣ２に出力するデジタルオーディオデータとして、ゼロデータを設定する（Ｓ８）。そして、制御部１１は、Ｓ４で取得したデジタルオーディオデータ、又は、Ｓ７若しくはＳ８で設定したデジタルオーディオデータをＵＳＢ  ＤＡＣ２出力する（Ｓ９）。Ｓ９の処理の後、制御部１１は、Ｓ２の処理を実行する。
【００４５】
次に、ＵＳＢ  ＤＡＣ２へのデジタルオーディオデータの一時停止の指示を受け付けた場合のスマートフォン１の処理動作を、図５に示すフローチャートに基づいて説明する。制御部１１は、ＵＳＢ  ＤＡＣ２へのデジタルオーディオデータの出力の一時停止指示を受け付けたか否かを判断する（Ｓ１１）。制御部１１は、一時停止指示を受け付けていないと判断している間は（Ｓ１１：Ｎｏ）、Ｓ１１の処理を繰り返し実行しながら、待機する。制御部１１は、一時停止指示を受け付けたと判断した場合（Ｓ１１：Ｙｅｓ）、最後に、すなわち、一時停止前にＵＳＢ  ＤＡＣ２に出力したデジタルオーディオデータの種類を取得する（Ｓ１２）。制御部１１は、取得したデジタルオーディオデータの種類がＤＳＤデータであるか、すなわち、ＤＳＤデータをＤｏＰ出力していたか否かを判断する（Ｓ１３）。制御部１１は、取得したデジタルオーディオデータの種類がＤＳＤデータでない（ＰＣＭデータである）、すなわち、ＤＳＤデータをＤｏＰ出力していなかった（ＰＣＭデータを出力していた）と判断した場合（Ｓ１３：Ｎｏ）、ＵＳＢ  ＤＡＣ２を停止させる（Ｓ１４）。次に、制御部１１は、プレイヤーステータスを一時停止中に設定する（Ｓ１５）。
【００４６】
制御部１１は、取得したデジタルオーディオデータの種類がＤＳＤデータである、すなわち、ＤＳＤデータをＤｏＰ出力していたと判断した場合（Ｓ１３：Ｙｅｓ）、Ｓ１４の処理を行わず、Ｓ１５の処理を行う。従って、ＵＳＢ  ＤＡＣ２は、停止されない。
【００４７】
以上説明したように、本実施形態では、制御部１１は、ＤＳＤデータをＵＳＢ  ＤＡＣ２にＤｏＰ出力しているときに、一時停止指示を受け付けた場合、無音を表すＤＳＤデータのミュートデータをＵＳＢ  ＤＡＣ２に出力する。従って、ＵＳＢ  ＤＡＣ２からは、ミュートデータに従って、無音が出力されるため、ＤＳＤデータをＵＳＢ  ＤＡＣ２に出力しているときに、デジタルオーディオデータの停止指示を受け付けた場合に、ＵＳＢ  ＤＡＣ２からノイズが発生することが防止される。
【００４８】
ここで、ＵＳＢ  ＤＡＣ２は、ミュートデータが出力されている間は、ミュートデータをＤ／Ａ変換するために、電力を消費する。本実施形態では、制御部１１は、ＵＳＢ  ＤＡＣ２へのミュートデータの出力を開始した後、所定時間経過後に、ＵＳＢ  ＤＡＣ２を停止させる。これにより、ＵＳＢ  ＤＡＣ２が停止するため、ＵＳＢ  ＤＡＣ２の電力消費を抑えることができる。
【００４９】
また、ＰＣＭデータをＵＳＢ  ＤＡＣ２に出力しているときに、一時停止指示を受け付け、ＵＳＢ  ＤＡＣ２を停止しても、ＵＳＢ  ＤＡＣ２からノイズが発生することがない。このため、本実施形態では、制御部１１は、ＰＣＭデータをＵＳＢ  ＤＡＣ２に出力しているときに、一時停止指示を受け付けた場合、ＵＳＢ  ＤＡＣ２を停止させる。
【００５０】
また、本実施形態では、制御部１１は、一時停止指示を受け付けた場合、ＵＳＢ  ＤＡＣ２へのデジタルオーディオデータの出力が一時停止状態であることを表示部１３に表示させる。これにより、ユーザーは、ＵＳＢ  ＤＡＣ２へのデジタルオーディオデータの出力が一時停止していることがわかる。
【００５１】
また、本実施形態では、制御部１１は、ＰＣＭデータのフレームに、ＤＳＤデータであることを示す情報を含むマーカーと、ＤＳＤデータと、を格納してＵＳＢ  ＤＡＣ２に出力する。これにより、ＰＣＭデータには対応しているが、ＤＳＤデータには対応していないスマートフォン１とＵＳＢ  ＤＡＣ２とのＵＳＢオーディオクラスに従った通信において、スマートフォン１からＵＳＢ  ＤＡＣ２にＤＳＤデータを出力することができる。
【００５２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５３】
上述の実施形態においては、スマートフォン１からＵＳＢ  ＤＡＣ２に、ＰＣＭデータ（第１デジタルオーディオデータ）及びＤＳＤデータ（第２デジタルオーディオデータ）が出力される場合について説明した。スマートフォン１からＵＳＢ  ＤＡＣ２に出力されるデジタルオーディオデータは、ＰＣＭデータ及びＤＳＤデータに限られず、データ形式の異なるデジタルオーディオデータがスマートフォン１からＵＳＢ  ＤＡＣ２に出力されればよい。
【００５４】
上述の実施形態においては、制御部１１がＵＳＢ  ＤＡＣ２へのデジタルオーディオデータの出力の一時停止（いわゆるポーズ）指示を受け付けた場合の処理動作について説明した。これに限らず、制御部１１がＵＳＢ  ＤＡＣ２へのデジタルオーディオデータの出力の停止（いわゆるストップ）指示を受け付けた場合に同様の処理を行ってもよい。
【００５５】
上述の実施形態においては、スマートフォン１がＵＳＢホストコンローラを備えていない場合について説明した。これに限らず、スマートフォンがＵＳＢホストコントローラを備えており（例えば、グーグル社製のAndroid（登録商標） OSを搭載したスマートフォン等）、ＵＳＢケーブルでスマートフォンとＵＳＢ  ＤＡＣが接続されていてもよい。
【００５６】
上述の実施形態においては、スマートフォンに音楽再生プログラムがインストールされており、スマートフォンを音楽再生装置として機能させる場合について説明した。これに限らず、音楽再生装置として機能させる機器として、タブレットＰＣ、フィーチャーフォン、携帯ゲーム機等であってもよい。
【００５７】
上述の実施形態においては、ＵＳＢ  ＤＡＣ２は、ヘッドホン３にアナログオーディオデータを出力するようになっている。これに限らず、ＵＳＢ  ＤＡＣ２は、ヘッドホン以外のスピーカー等にアナログオーディオデータを出力するようになっていてもよい。
【産業上の利用可能性】
【００５８】
本発明は、音楽を再生する音楽再生装置に好適に採用され得る。
【符号の説明】
【００５９】
１  スマートフォン（音楽再生装置）
１１  制御部
１２  記憶部
１３  表示部
１４  操作部
１８  コネクタ
２  ＵＳＢ  ＤＡＣ（Ｄ／Ａ変換装置）
３  ヘッドホン
Ｐ  音楽再生プログラム
【図１】
0005943050.tif 000002
【図２】
0005943050.tif 000003
【図３】
0005943050.tif 000004
【図４】
0005943050.tif 000005
【図５】
0005943050.tif 000006
【図６】
0005943050.tif 000007
【図７】
0005943050.tif 000008
【図８】
0005943050.tif 000009